(57)【特許請求の範囲】
【請求項１】
装置の機能に関する設定を行う設定用画像を含む情報を表示する表示手段と、
前記設定用画像に対する選択操作を受け付け、選択された前記設定用画像を、入力された入力画像に配置することで、操作画面を生成する操作画面生成手段と、
前記操作画面生成手段により生成された操作画面を、前記表示手段により表示するように制御する表示制御手段と
を有する電子装置。
【請求項２】
前記設定用画像は、前記装置と通信装置を通じて接続された他の装置の機能に関する設定についての操作を行うための画像
であることを特徴とする請求項１に記載の電子装置。
【請求項３】
前記表示手段により表示された操作画面にある、装置の機能に関する設定を行う設定用画像に対する指定を受け付ける受付手段をさらに有し、
前記操作画面生成手段は、入力された入力画像と設定用画像とを関連づけた情報として予め登録された登録情報に基づいて、該入力画像に該設定用画像が配置された操作画面を生成し、
前記表示制御手段は、既定の操作画面にある設定用画像への指定が前記受付手段により受付けられた場合に、該設定用画像に対応する前記登録情報に基づいて、前記操作画面生成手段による操作画面を生成し、該操作画面を表示手段により表示するように制御する
ことを特徴とする請求項１に記載の電子装置。
【請求項４】
前記表示制御手段は、
機能に関する情報を含む初期操作画面を表示するよう制御し、
前記登録情報に、前記機能に対応する設定用画像を含む操作画面がある場合、前記設定用画像が配置された操作画面を表示するための入力受付部を、前記初期操作画面の設定機能を表す設定用画像に重畳して表示するように制御する
ことを特徴とした請求項３記載の電子装置。
【請求項５】
表示手段と、
入力された入力画像と装置の機能に関する設定を行う設定用画像と装置の状態とを関連付けた情報を登録する登録手段と、
前記登録手段により登録された情報に基づいて入力画像に設定用画像を配置して操作画面を生成する操作画面生成手段と、
前記操作画面生成手段により生成された操作画面を、前記表示手段により表示するように制御する表示制御手段と
を有する電子装置。
【請求項６】
装置の状態を検知する状態検知手段
をさらに有し、
表示制御手段は、前記登録手段により登録された情報のうち、前記状態検知手段により検知された状態に対応する情報に基づいて操作画面を表示するように制御する
請求項５記載の電子装置。
【請求項７】
装置の機能に関する設定を行う設定用画像を含む情報を表示する表示手段と、
前記設定用画像に対する選択操作を受け付け、選択された前記設定用画像を、入力された入力画像に配置することで、操作画面を生成する操作画面生成手段と、
前記操作画面生成手段により生成された操作画面を、前記表示手段により表示するように制御する表示制御手段と
を有する画像形成装置。
【請求項８】
装置の機能に関する設定を行う設定用画像を含む情報を表示するステップと、
前記設定用画像に対する選択操作を受け付け、選択された前記設定用画像を、入力された入力画像に配置することで、操作画面を生成するステップと、
生成された操作画面を表示するように制御するステップと
をコンピュータに実行させるプログラム。
【請求項９】
表示された操作画面にある、装置の機能に関する設定を行う設定用画像に対する指定を受け付けるステップをさらに有し、
入力された入力画像と設定用画像とを関連づけた情報として予め登録された登録情報に基づいて、該入力画像に該設定用画像が配置された操作画面を生成するステップと、
既定の操作画面にある設定用画像への指定が受付けられた場合に、該設定用画像に対応する前記登録情報に基づいて、操作画面を生成し、該操作画面を表示手段により表示するように制御するステップと、
をコンピュータに実行させる請求項８記載のプログラム。
【請求項１０】
機能に関する情報を含む初期操作画面を表示するよう制御するステップと、
前記登録情報に、前記機能に対応する設定用画像を含む操作画面がある場合、前記設定用画像が配置された操作画面を表示するための入力受付部を、前記初期操作画面の設定機能を表す設定用画像に重畳して表示するように制御するステップと、
をコンピュータに実行させる請求項９記載のプログラム。
【請求項１１】
装置の機能に関する設定を行う設定用画像を含む情報を表示するステップと、
入力された入力画像に、装置の機能に関する設定を行う設定用画像を配置して、操作画面を生成するステップと、
生成された操作画面を表示するように制御するステップと、
表示された操作画面にある設定用画像に対する指定を受け付け、該設定用画像に対応した設定を行うステップと
をコンピュータに実行させるプログラム。
【発明の詳細な説明】
【技術分野】
【０００１】
本発明は、電子装置、画像形成装置、及びプログラムに関する。
【背景技術】
【０００２】
特許文献１は、操作画面上に表示する項目の構成を変更する手段と、変更された構成情報に基づきヘルプ画面を生成する手段とを設け、操作画面がカスタマイズされた場合にヘルプ画面も変化する画像形成装置を開示している。
特許文献２は、操作履歴に基づき、操作画面フロー図を作成し表示可能にする画像形成装置を開示している。
【先行技術文献】
【特許文献】
【０００３】
【特許文献１】特開2010-45423号公報公報
【特許文献２】特開2010-212911号公報
【発明の概要】
【発明が解決しようとする課題】
【０００４】
本発明の目的は、操作者が行なうべき手順を、操作者に分かりやすく表示することができる電子装置、画像形成装置及びプログラムを提供することである。
【課題を解決するための手段】
【０００５】
［電子装置］
請求項１に係る本発明は、装置の機能に関する設定を行う設定用画像を含む情報を表示する表示手段と、前記設定用画像に対する選択操作を受け付け、選択された前記設定用画像を、入力された入力画像に配置することで、操作画面を生成する操作画面生成手段と、前記操作画面生成手段により生成された操作画面を、前記表示手段により表示するように制御する表示制御手段とを有する電子装置である。
【０００６】
請求項２に係る本発明は、記設定用画像は、前記装置と通信装置を通じて接続された他の装置の機能に関する設定についての操作を行うための画像であることを特徴とする請求項１に記載の電子装置である。
【０００７】
請求項３に係る本発明は、前記表示手段により表示された操作画面にある、装置の機能に関する設定を行う設定用画像に対する指定を受け付ける受付手段をさらに有し、前記操作画面生成手段は、入力された入力画像と設定用画像とを関連づけた情報として予め登録された登録情報に基づいて、該入力画像に該設定用画像が配置された操作画面を生成し、前記表示制御手段は、既定の操作画面にある設定用画像への指定が前記受付手段により受付けられた場合に、該設定用画像に対応する前記登録情報に基づいて、前記操作画面生成手段による操作画面を生成し、該操作画面を表示手段により表示するように制御することを特徴とする請求項１に記載の電子装置である。
【０００８】
請求項４に係る本発明は、前記表示制御手段は、機能に関する情報を含む初期操作画面を表示するよう制御し、前記登録情報に、前記機能に対応する設定用画像を含む操作画面がある場合、前記設定用画像が配置された操作画面を表示するための入力受付部を、前記初期操作画面の設定機能を表す設定用画像に重畳して表示するように制御することを特徴とした請求項３記載の電子装置である。
【０００９】
請求項５に係る本発明は、表示手段と、入力された入力画像と装置の機能に関する設定を行う設定用画像と装置の状態とを関連付けた情報を登録する登録手段と、前記登録手段により登録された情報に基づいて入力画像に設定用画像を配置して操作画面を生成する操作画面生成手段と、前記操作画面生成手段により生成された操作画面を、前記表示手段により表示するように制御する表示制御手段とを有する電子装置。である。
【００１０】
請求項６に係る本発明は、装置の状態を検知する状態検知手段をさらに有し、表示制御手段は、前記登録手段により登録された情報のうち、前記状態検知手段により検知された状態に対応する情報に基づいて操作画面を表示するように制御する請求項５記載の電子装置である。
【００１１】
［画像形成装置］
請求項７に係る本発明は、装置の機能に関する設定を行う設定用画像を含む情報を表示する表示手段と、前記設定用画像に対する選択操作を受け付け、選択された前記設定用画像を、入力された入力画像に配置することで、操作画面を生成する操作画面生成手段と、前記操作画面生成手段により生成された操作画面を、前記表示手段により表示するように制御する表示制御手段とを有する電子装置である。
【００１２】
［プログラム］
請求項８に係る本発明は、装置の機能に関する設定を行う設定用画像を含む情報を表示するステップと、前記設定用画像に対する選択操作を受け付け、選択された前記設定用画像を、入力された入力画像に配置することで、操作画面を生成するステップと、生成された操作画面を表示するように制御するステップとをコンピュータに実行させるプログラムである。
【００１３】
請求項９に係る本発明は、表示された操作画面にある、装置の機能に関する設定を行う設定用画像に対する指定を受け付けるステップをさらに有し、入力された入力画像と設定用画像とを関連づけた情報として予め登録された登録情報に基づいて、該入力画像に該設定用画像が配置された操作画面を生成するステップと、既定の操作画面にある設定用画像への指定が受付けられた場合に、該設定用画像に対応する前記登録情報に基づいて、操作画面を生成し、該操作画面を表示手段により表示するように制御するステップと、をコンピュータに実行させる請求項８記載のプログラムである。
【００１４】
請求項１０に係る本発明は、機能に関する情報を含む初期操作画面を表示するよう制御するステップと、前記登録情報に、前記機能に対応する設定用画像を含む操作画面がある場合、前記設定用画像が配置された操作画面を表示するための入力受付部を、前記初期操作画面の設定機能を表す設定用画像に重畳して表示するように制御するステップと、をコンピュータに実行させる請求項９記載のプログラムである。
【００１５】
請求項１１に係る本発明は、装置の機能に関する設定を行う設定用画像を含む情報を表示するステップと、入力された入力画像に、装置の機能に関する設定を行う設定用画像を配置して、操作画面を生成するステップと、生成された操作画面を表示するように制御するステップと、表示された操作画面にある設定用画像に対する指定を受け付け、該設定用画像に対応した設定を行うステップとをコンピュータに実行させるプログラムである。
【発明の効果】
【００１６】
請求項１に係る本発明によれば、本構成を有していない場合と比べ、操作者が行なうべき手順を、操作者に分かりやすく表示することができる電子装置を提供することができる。
【００１７】
請求項２に係る本発明によれば、請求項１に係る本発明によって奏される効果に加え、操作を行なう際に、操作者の操作画面を作成する手間を少なくすることができる。
【００１８】
請求項３の発明によれば、本構成を有していない場合と比べ、操作者が行なうべき手順を、操作者に分かりやすく表示することができると共に、行うべき手順の存在の失念を防止できる。
【００１９】
請求項４に係る本発明によれば、請求項１乃至３いずれかに係る本発明によって奏される効果に加え、手書きの資料、その他の電子化されていない媒体に記載された内容を基に操作画面を作成できる。
【００２０】
請求項５の発明によれば、装置が既定の状態となった場合に、操作者が行なうべき手順を分かりやすく表示することができる。
【００２１】
請求項６の発明によれば、請求項５に係る本発明によって奏される効果に加え、装置の状態に応じて自動的に表示することができる電子装置を提供することができる。
【００２２】
請求項７の発明によれば、本構成を有していない場合と比べ、操作者が行なうべき手順を、操作者に分かりやすく表示することができる画像形成装置を提供することができる。
【００２３】
請求項８の発明によれば、本構成を有していない場合と比べ、操作者が行なうべき手順を、操作者に分かりやすく表示することができるプログラムを提供することができる。
【００２４】
請求項９の発明によれば、本構成を有していない場合と比べ、操作者が行なうべき手順を、操作者に分かりやすく表示することができると共に、行うべき手順の存在の失念を防止できるプログラムを提供することができる。
【００２５】
請求項１０の発明によれば、操作者が行なうべき手順を、操作者に分かりやすく表示することができると共に、行うべき手順の存在の失念を防止できるプログラムを提供することができる。
【００２６】
請求項１１に係る本発明によれば、本構成を有していない場合と比べ、操作者が行なうべき手順を、操作者に分かりやすく表示することができるプログラムを提供することができる。
【図面の簡単な説明】
【００２７】
【図１】画像形成装置を示す断面図である。
【図２】画像形成装置のハードウェア構成を示すブロック図である。
【図３】ＵＩ装置を示す平面図である。
【図４】情報処理プログラムの構成を示すブロック図である。
【図５】入力画像として用いられる原稿を示す平面図である。
【図６】メモ付操作画面を示す平面図である。
【図７】登録情報を示す図表である。
【図８】初期操作画面を示す平面図である。
【図９】メモ付操作画面を表示するか否かを確認する確認画面を示す平面図である。
【図１０】メモ付操作画面の作成に関する処理のフローチャートである。
【図１１】メモ付操作画面の作成において表示される画面の一例を示す平面図である。
【図１２】設定用画像が関連付けられたメモ付操作画像を表示する処理のフローチャートである。
【図１３】装置の状態が関連付けられた入力画像を表示する処理のフローチャートである。
【発明を実施するための形態】
【００２８】
以下、本発明の実施形態について図面を参照して詳細に説明する。
図１は、本発明の実施形態に係る電子装置の一例である画像形成装置１０を示す断面図である。
【００２９】
画像形成装置１０は、印刷装置１２及び画像読取装置１４を有し、印刷装置１２は、例えば３段の記録媒体供給カセット１６を有し、これら記録媒体供給カセット１６のそれぞれには供給ヘッド１８が設けられている。
【００３０】
記録媒体供給カセット１６の一つが選択されると、供給ヘッド１８が作動して選択された記録媒体供給カセット１６から記録媒体供給路２０を介して画像形成部２２に供給される。
【００３１】
また、画像形成装置１０は、ファクス機能（図示せず）を有してもよい。
【００３２】
画像形成部２２は、イエロー、マゼンタ、シアン及びブラックの各感光体２４が併設されていると共に、中間転写ベルト２６が設けられている。
【００３３】
各感光体２４の周囲には、帯電装置、露光装置、現像装置、一次転写装置及びクリーニング装置など（図示せず）が配置され、各感光体２４に形成されたトナー像が中間転写ベルト２６に転写される。白黒設定された場合は、ブラックのみが作動可能であるようにされる。
【００３４】
中間転写ベルト２６のトナー像は、二次転写ロール２８により、送られてきた記録媒体に転写され、定着装置３０により定着され、このトナー像が定着された記録媒体が記録媒体排出路３２を通って排出部３４に排出される。
【００３５】
ただし、両面印刷が設定された場合は、定着装置３０により表面が定着された記録媒体は、記録媒体排出路３２から反転装置３６に送られ、この反転装置３６で反転され、記録媒体反転路３８に送られ、再び記録媒体供給路２０に戻され、画像形成部２２に送られて裏面の印刷がなされる。
【００３６】
画像読取装置１４は、両面原稿の読み取りが可能な自動原稿送り装置４０を有し、この自動原稿送り装置４０により原稿はプラテン４２に送られ、このプラテン４２上でＣＣＤ等からなる読取部４４により原稿の画像が読み取られる。
【００３７】
自動原稿送り装置４０に原稿がセットされたか否かを検出する原稿セット検出器４６が設けられている。また、自動原稿送り装置４０はプラテンカバーを兼ねており、このプラテンカバーを開けることにより原稿をプラテン４２上に置くことができる。このプラテンカバーの開閉は、プラテンカバー開閉検出器４８により検出できるようになっている。
【００３８】
ユーザインターフェース装置５０（以下「ＵＩ装置５０」）は、画像形成装置１０と一体に、又はネットワークを介して設けられる。また、ＵＩ装置５０は、例えばタッチパネルなどからなり、操作者からの画像形成装置１０への処理内容についての指示を入力として受け付け、又は情報を表示することができるように構成されている。
【００３９】
また、この画像形成装置１０は、公衆回線へ接続されたファクシミリ用のモデムと、ＬＡＮ等のネットワークに接続されるネットワーク通信装置が設けられている。画像形成装置１０に設けられたネットワーク通信装置を用いることで、画像読取装置１４により読み取った画像をネットワークに接続された端末に送信することができる。
【００４０】
図２は、画像形成装置１０のハードウェア構成を示すブロック図である。
【００４１】
図２に示すように、画像形成装置１０は、図１のＵＩ装置５０とともに、ＣＰＵ５２、メモリ５４、入出力インターフェース５６、スキャンインターフェース５８、プリントインターフェース６０、ネットワーク通信インターフェース６２、ファクシミリ用のモデムインターフェース６４、及び記憶装置６６がバス接続された構成となっている。
【００４２】
つまり、画像形成装置１０は、情報処理及び他の装置との通信が可能なコンピュータとしての構成部分を有している。
【００４３】
ＣＰＵ５２は、メモリ５４又は記憶装置６６に書き込まれた後述する情報処理プログラム７０を実行することにより、各回路を制御する。ＵＩ装置５０を介して受け付けられた入力はＣＰＵ５２に伝達され、ＣＰＵ５２からの表示情報がＵＩ装置５０に伝達するようにしてある。
【００４４】
なお、ＣＰＵ５２は、ＣＤＲＯＭ等の記憶媒体に格納された情報処理プログラム７０を実行してもよく、又は後述のネットワーク通信インターフェース６２を介して提供される情報処理プログラム７０を実行してもよい。
【００４５】
入出力インターフェース５６には、図１の原稿セット検出器４６からの原稿セット検出信号と、図１のプラテンカバー開閉検出器４８からのプラテンカバー開閉信号が入力される。
【００４６】
スキャンインターフェース５８は、図１の画像読取装置１４に接続され、プリントインターフェース６０は、図１の印刷装置１２に接続されている。
【００４７】
ネットワーク通信インターフェース６２は、画像形成装置１０に設けられたネットワーク通信装置に接続され、モデムインターフェース６４は、画像形成装置１０に設けられたファクシミリ用モデムに接続されている。
【００４８】
また、バスには記憶装置６６が接続されており、例えばネットワークに接続された端末から送信された画像を、画像形成装置１０に設けられた記憶装置６６に記憶することができる。
【００４９】
図３は、ＵＩ装置５０を示す平面図である。
図３に例示するように、ＵＩ装置５０は、サービス処理の開始を指示するための開始ボタン７２と、数字を入力するためのテンキー７４と、設定を解除するための解除ボタン７６と、初期画面を表示するための初期画面表示ボタン７８と、操作画面等を表示するタッチパネル等の画面表示部８０とから構成される。
【００５０】
図４は、画像形成装置１０において動作する情報処理プログラム７０を示すブロック図である。図４に示すように、情報処理プログラム７０は、操作画面生成部９０、登録部９２、表示制御部９４、受付部９６、状態検知部９８、及び設定部１００から構成される。
【００５１】
操作画面生成部９０は、画像形成装置１０に入力された画像である入力画像のうち、操作者によって選択された入力画像に対し、操作者の操作に基づいて設定用画像を配置して関連付け、操作画面を生成する。
【００５２】
ここで、入力画像とは、例えば、原稿を画像読取装置１４によって読み込まれた画像、又はネットワーク通信装置を通じて入力される画像である。また、設定用画像とは、例えば、画像形成装置１０の機能に関する設定についての操作を行なうための画像をいう。なお、設定用画像は、画像形成装置１０の機能に関する設定のみに限定せず、画像形成装置１０とネットワーク通信装置を通じて接続された他の装置の機能に関する設定についての操作を行なうための画像であってもよい。操作画面とは、設定用画像を含む画面をいう。
【００５３】
なお、以下では、操作画面生成部９０により生成される操作画面をメモ付操作画面という。メモ付操作画面についての詳しい説明は後述する。
【００５４】
また、操作画面生成部９０は、操作者によって選択された入力画像に対し、操作者の操作に基づいて、画像形成装置１０の状態を関連付ける処理を行なう。なお、操作画面生成部９０は、画像形成装置１０の状態に限らず、画像形成装置１０とネットワーク通信装置を通じて接続された他の装置の状態を関連付けてもよい。
【００５５】
すなわち、操作画面生成部９０は、入力画像に対し、設定用画像の配置を行なう処理、装置の状態の関連付けを行なう処理、又は、設定用画像の配置及び装置の状態の関連付けを行なう処理をする。
【００５６】
また、操作画面生成部９０は、入力画像と設定用画像とを関連付けた情報、及び入力画像と装置の状態とを関連付けた情報を、登録情報として登録部９２へ出力する。また、操作画面生成部９０は、生成したメモ付操作画面を表示制御部９４へ出力する。
【００５７】
さらに、操作画面生成部９０は、表示制御部９４の制御のもと、記憶装置６６に格納された後述する登録情報に基づいて、メモ付操作画面を生成する。
【００５８】
登録部９２は、操作画面生成部９０から入力される登録情報を、記憶装置６６に格納する。登録情報は、例えば、入力画像を識別する情報、入力画像に配置された設定用画像を識別する情報、入力画像に関連付けられた装置の状態を識別する情報、及び入力画像に配置された設定用画像の入力画像における配置位置の情報を含む。登録情報の詳細については、後述する。
【００５９】
また、登録部９２は、操作画面生成部９０から入力される登録情報に示された入力画像の画像ファイルを記憶装置６６に格納する。
【００６０】
表示制御部９４は、操作画面生成部９０から入力されたメモ付操作画面を画面表示部８０に表示するよう制御する。また、表示制御部９４は、操作画面生成部９０により装置の状態と関連付けがなされた入力画像を、記憶装置６６から読み出して画面表示部８０に表示する。
【００６１】
なお、本実施形態では、表示制御部９４は、受付部９６又は状態検知部９８の通知に基づいて、画面表示部８０へのメモ付操作画面又は入力画面の表示を制御するが、詳細については後述する。
【００６２】
また、表示制御部９４は、画像形成装置１０が実行可能な処理の一覧を示したメニュー画面の表示、メモ付操作画面とは異なる既定の操作画面（以下、初期操作画面という）、及びメモ付操作画面が生成される際に操作者による入力を受付けるための画面の表示なども行なう。
【００６３】
受付部９６は、ＵＩ装置５０に対する操作者の操作を受付ける。例えば、開始ボタン７２、テンキー７４、解除ボタン７６と、初期画面表示ボタン７８、又は画面表示部８０に表示された設定用画像などに対する操作を受付ける。
受付部９６は、受付けた操作内容を表示制御部９４及び設定部１００に通知する。
【００６４】
状態検知部９８は、画像形成装置１０の状態を検知する。例えば、状態検知部９８は、記録媒体供給カセット１６における用紙不足の状態を検知する。状態検知部９８は、状態を検知すると検知内容を表示制御部９４に通知する。
【００６５】
設定部１００は、受付部９６から通知された操作内容に基づき、画像形成装置１０の設定を行なう。例えば、受付部９６から設定用画像への操作を通知された場合、設定部１００は、当該設定用画像に対応する設定を行なう。
【００６６】
次に、操作画面生成部９０により用いられる入力画像、及び操作画面生成部９０により生成されるメモ付操作画面について詳しく説明する。
【００６７】
図５は、入力画像として用いられる原稿を示す平面図である。図５（ａ）及び（ｂ）は、それぞれ入力画像として画像読取装置１４によって読み込まれる原稿の一例を示している。図５（ａ）及び（ｂ）に示された原稿は、いずれも手書きでメモがなされた原稿である。
【００６８】
図５（ａ）に示される原稿の例では、会議資料の印刷条件を示す手順が、手書きのメモとして表形式で記されている。
【００６９】
より具体的には、図５（ａ）に示される原稿の例では、月例××会議の資料の印刷条件として、画質の設定を、文字又は写真の印刷に適した印刷を行なうための設定である「文字／写真」設定とし、さらに色の設定を「カラー」設定とすることが記されている。また、週報告の資料の印刷条件として、議長役用の資料の印刷では「片面」の印刷とし、参加者用の資料の印刷では「両面」の印刷とした上で、さらに資料の２ページ分を用紙１枚に印刷することが記されている。
【００７０】
一方、図５（ｂ）に示される原稿の例では、資料を読み取った画像を電子メールによって送付する際の設定の手順が、フローチャートを用いた手書きのメモとして記されている。
【００７１】
より具体的には、メモには、送付する画像ファイルのデータ量を小さくすることを目的として、以下のように、フローチャートが記載されている。すなわち、送付する資料において、まず、カラーが重要であるか否かを判断し、カラーが重要である場合は色の設定（カラーモード）は「フルカラー」を設定し、カラーが重要でない場合は色の設定（カラーモード）は「白黒」を設定することが記されている。次に、送付する画像ファイルの画像が細かいか否かを判断し、細かい場合は資料の読取解像度を６００ｄｐｉと設定し、細かくない場合は資料の読取解像度を２００ｄｐｉと設定することが記されている。
【００７２】
図５（ａ）に例示した表形式の記載又は図５（ｂ）に例示したフローチャートの記載以外にも、箇条書きなどの単純な記載がなされたメモによって、画像形成装置１４の操作者が行なうべき手順を記すことが考えられる。このようなメモは、操作者自身が作成することもあるが、操作者以外の者が作成して操作者にメモに沿った操作を依頼することも考えられる。
【００７３】
図６は、図５に示された原稿を画像読取装置１４によって読み取って得られた入力画像を基にして、操作画面生成部９０により生成されるメモ付操作画面の一例を示す平面図である。
【００７４】
図６（ａ）は、図５（ａ）に示された原稿を読み取って得られた入力画像に対して、設定用画像が配置されたメモ付操作画面である。具体的には、メモ付操作画面１１０は、入力画像１１２に設定用画像１１４〜１２２が配置されている。また、図６（ａ）に示した例では、設定用画像１１４〜１２２は、図５（ａ）に示されるメモの記載内容に対応する設定用画像が記載位置に対応する入力画像上の位置に配置されている。
【００７５】
一方、図６（ｂ）は、図５（ｂ）に示された原稿を読み取って得られた入力画像に対して、設定用画像が配置されたメモ付操作画面である。具体的には、メモ付操作画面１２４は、入力画像１２６に設定用画像１２８〜１４２が配置されている。また、図６（ａ）に示したメモ付操作画面１１０と同様、図６（ｂ）に示した例においても、設定用画像１２８〜１４２は、図５（ｂ）に示されるメモの記載内容に対応する設定用画像を記載位置に対応する入力画像上の位置に配置されている。
【００７６】
図６に示すようなメモ付操作画面によれば、図５に示すような原稿に記載された手順を、操作者に分かりやすく表示することができる。また、操作者は、画面表示部８０に表示されたメモをもとに直感的に操作を行うことができる。
また、紙原稿のメモが電子化され、紙原稿の紛失や劣化を防止することができる。
【００７７】
なお、図６（ａ）及び（ｂ）に示すように、メモ付操作画面には、初期操作画面に表示を切り替えるための初期操作画面表示用画像１４４が配置されていてもよい。
【００７８】
次に、登録部９２により登録される登録情報ついて、詳しく説明する。
図７は、登録情報テーブルを示す図表である。登録部９２は、記憶装置６６に記憶された登録情報テーブルへと登録情報を格納する。登録情報は、例えば、入力画像のファイル名、入力画像に関連付けられた設定用画像の項目ＩＤ、設定用画像の配置位置、及び入力画像に関連付けられた装置の状態を含む情報であり、登録部９２によって、記憶装置６６へ登録情報テーブルとして格納される。
【００７９】
ここで、項目ＩＤは、設定用画像毎に設けられた識別子である。図７に示した例では、設定用画像の属する分類も識別可能なように項目ＩＤが、各設定用画像に対して定められている。ここで、設定用画像の属する分類とは、設定用画像に対応する設定種別の分類であり、設定種別としては、例えば「カラーモード」、「原稿の画質」などがある。したがって、「カラーモード」の設定として、「フルカラー」及び「白黒」の２種類の選択肢がある場合、「フルカラー」に設定するための設定用画像及び「白黒」に設定するための設定用画像は、いずれも「フルカラー」に属する設定用画像ということになる。
【００８０】
また、設定用画像の配置位置は、例えば、画面表示部８０の表示領域の左上隅の位置を原点とした場合の座標として表される。
【００８１】
なお、図７に示すように、操作画面生成部９０によって、入力画像に設定用画像が複数配置されたメモ付操作画面が生成された場合は、配置された設定用画像の全てについて、項目ＩＤと配置位置が登録情報に含まれている。また、入力画像に設定用画像とともに、装置の状態も関連付けられている場合には、関連付けられている装置の状態も登録情報に含まれる。一方、入力画像に対して設定用画像の関連付けがなく、装置の状態のみが関連付けられている場合には、登録情報は、関連付けられた装置の状態のみを含む。
【００８２】
次に、表示制御部９４における、受付部９６又は状態検知部９８の通知に基づく表示制御について詳しく説明する。
【００８３】
まず、表示制御部９４における、受付部９６の通知に基づく表示制御について説明する。
【００８４】
図８は、画面表示部８０に表示された初期操作画面を示した平面図である。なお、図８では、原稿を読み取り、画像形成装置１０に接続された端末に読取画像を保存する機能（以下、スキャン機能という）についての初期操作画面を示している。スキャン機能は、画像形成装置１０が実行可能な処理の一種であり、画像形成装置１０は、他にもコピー機能、ＦＡＸ機能などの処理を実行できる。
【００８５】
初期操作画面は、表示制御部９４の処理により表示がなされる。初期操作画面１５０は、タブ１５２〜１５８によって、設定項目を切り替えることができるようになっている。また、設定種別表示１６０〜１６６は、設定種別を示す表示であり、設定種別表示の下には、各設定種別に属する設定用画像１６８〜１９４が表示されている。
【００８６】
表示制御部９４は、初期操作画面における設定用画像への操作を受付けた旨の通知を受付部９６から受けると、当該通知に示された設定用画像について関連するメモ付操作画面を画面表示部８０に表示するよう制御する。
【００８７】
より具体的には、表示制御部９４は、受付部９６から通知された設定用画像が関連付けられている登録情報が記憶装置６６に格納されているかを確認し、登録情報が存在する場合は、当該登録情報をもとに操作画面生成部９０によって生成されたメモ付操作画面を画面表示部８０に表示するよう制御する。
【００８８】
なお、表示制御部９４は、メモ付操作画面の表示について、図９に示して後述する確認画面の表示を行なってもよい。
【００８９】
また、表示制御部９４は、受付部９６からの複数の通知により指定された複数の設定用画像を全て含む登録情報を登録情報テーブルから検索して、該当する登録情報に基づいてメモ付操作画面の表示を制御してもよい。
【００９０】
受付部９６の通知に基づく表示制御としては、以下のように制御してもよい。すなわち、初期操作画面が表示される際に、表示制御部９４は、記憶装置６６に格納されている登録情報を参照し、メモ付操作画面への表示を受付けるためのメモ表示用画像を、初期操作画面に重畳させて表示してもよい。
【００９１】
図８に示した初期操作画面では、メモ表示用画像１９６〜２１０が重畳されて表示されている。メモ表示用画像１９６〜２０６は、設定用画像ごとに表示されるメモ表示用画像であり、当該設定用画像に関連した登録情報が存在する場合に当該設定用画像に対応する位置に表示される。メモ表示用画像２０８は、設定種別ごとに表示されるメモ表示用画像であり、当該設定種別に属する設定用画像に関連した登録情報が存在する場合に当該設定種別に対応する位置に表示される。メモ表示用画像２１０は、画像形成装置１０が実行可能な処理の種類ごとに表示されるメモ表示用画像であり、当該処理の種類に属する設定用画像に関連した登録情報が存在する場合に当該処理の種類に対応する位置に表示される。
【００９２】
表示制御部９４は、メモ表示用画像１９６〜２１０のいずれかが操作者により指定されると、登録情報テーブルを検索し、指定されたメモ表示用画像に対応するメモ付操作画面の表示を行なうよう制御する。例えば、図８に示した例では、メモ表示用画像２１０は、スキャン機能の設定に関連するメモ付操作画面の表示が行なわれるよう制御する。
【００９３】
図９は、メモ表示用画像に対応するメモ付操作画面を表示するか否かを確認する確認画面の例である。なお、以下では、メモ表示用画像に対応するメモ付操作画面の表示について説明するが、上記で説明した、設定用画像への指定がなされた場合のメモ付操作画面の表示についても同様な確認表示が可能である。
【００９４】
表示制御部９４は、メモ表示用画像が操作者により指定されると、メモ付操作画面を表示するか否かを確認する確認画面を画面表示部８０に表示する。
【００９５】
図９（ａ）は、メモ表示用画像に対応するメモ付操作画面が一つ存在する場合の確認画面２２０を示している。確認画面２２０では、メモ付操作画面を表示するか否かを確認するための文章である文章表示２２２、メモ付操作画面を構成する入力画像２２４が表示される。また、操作者からの指定を受付けるための指定受付表示２２６，２２８がある。操作者から、メモ付操作画面を表示する指定、すなわち指定受付表示２２６に対する指定を受付けると、図６に示したようなメモ付操作画面が表示される。
【００９６】
図９（ｂ）は、メモ表示用画像に対応するメモ付操作画面が複数存在する場合の確認画面２３０を示している。確認画面２３０では、いずれのメモ付操作画面を表示するか否かを確認する文章表示２３２、各メモ付操作画面を構成する入力画像２３４，２３６が表示される。また、メモ付操作画面を確認するためのメモ付操作画面確認表示２３８と表示を取り止めるための指定受付表示２４０が表示される。一覧表示された入力画像２３４，２３６のいずれかに対し、操作者から指定があると、対応するメモ付操作画面が表示される。
【００９７】
次に、表示制御部９４における、状態検知部９８の通知に基づく表示制御について詳しく説明する。
【００９８】
表示制御部９４は、状態検知部９８から装置の状態について通知があると、通知された装置の状態と関連付けられた登録情報が登録情報テーブルにあるかを確認する。該当する登録情報があり、登録情報が設定用画像に関する情報を含んでいない場合は、記憶装置６６に格納されている、当該登録情報に関連付けられている入力画像を表示する。該当する登録情報があり、登録情報が設定用画像に関する情報を含んでいる場合は、登録情報に基づいて操作画面生成部９０によって生成されたメモ付操作画面を表示する。
【００９９】
例えば、記録媒体供給カセット１６における用紙不足の状態が検知されると、用紙不足の状態と関連付けられた入力画像が表示される。入力画像が、例えば、用紙が不足した際の連絡先が記載された原稿の読み取り画像であれば、操作者は必要な情報を容易に入手することができる。また、メモ付操作画面が表示された場合には、操作者はメモ付操作画面に表示された手順にしたがって、操作を行うことができる。例えば、メモ付操作画面にある設定用画像に対し、当該設定用画像を指定することでなされる処理が「用紙が不足した際の連絡先へのＦＡＸ送信」であれば、操作者は、表示された設定用画像を指定することで連絡先へのＦＡＸ送信を行うことができ、用紙不足という状態の際に行なうべき操作を容易に行うことができる。
【０１００】
次に、フローチャートを交えて、処理の流れを説明する。
図１０は、メモ付操作画面の作成についての処理を示すフローチャートである。
ステップ１００（Ｓ１００）において、表示制御部９４は、メニュー画面を表示し、ステップ１０２へ移行する。
【０１０１】
ステップ１０２（Ｓ１０２）において、受付部９６が、メモ付操作画面の作成の処理の指定を受付けるとステップ１０４へと移行する。受付部９６が、メニュー画面に表示された他の処理を受付けると、メモ付操作画面の作成は終了する。
【０１０２】
ステップ１０４（Ｓ１０４）において、表示制御部９４は、画像読取装置１４によって原稿を読み取って得られた入力画像を表示する。
【０１０３】
ステップ１０６（Ｓ１０６）において、操作画面生成部９０は、操作者の指定に応じて、入力画像に設定用画像又は装置の状態を関連付ける。
【０１０４】
ステップ１０８（Ｓ１０８）において、操作画面生成部９０は、操作者による関連付けが全て終了したかを判定し、全て終了した場合はステップ１１０へ移行し、全て終了していない場合はステップ１０６へと移行する。
【０１０５】
ステップ１１０（Ｓ１１０）において、操作画面生成部９０は、入力画像に関連付けられた設定用画像又は装置の状態についての登録情報を登録部９２へ出力し、登録部９２は、登録情報を記憶装置６６へ格納する。
【０１０６】
図１１は、メモ付操作画面の作成の際に表示制御部９４が表示する画面の一例である。
【０１０７】
図１１（ａ）は、メニュー画面２５０を示す。メニュー画面２５０は、画像形成装置１０が実行可能な処理を表示する処理メニュー表示２５２〜２６２を含んでいる。ここで、「メモ作成」と表記された処理メニュー表示２５８を指定すると、図１１（ｂ）に示されるメモ読取指示画面２６４が表示される。なお、「メモ削除」と表記された処理メニュー表示２６０を指定すると、既に登録されている登録情報の削除及び入力画像の削除を行うことができる。また、「メモ参照」と表記された処理メニュー表示２６２を指定すると、記憶装置６６に記憶されている入力画像を表示することができる。
【０１０８】
図１１（ｂ）は、入力画像となる原稿の読み取りを促すメモ読取指示画面２６４を示す。メモ読取指示画面２６４は、文書表示２６６、指示画像２６８，２７０を含む。ここで、読取りを指示する指示画像２７０が操作者により指定されると、原稿が画像読取装置１４により読み取られる。読み取りが終了すると、関連付け画面２７２が表示される。
【０１０９】
図１１（ｃ）、（ｄ）及び（ｅ）は、原稿を読み取って得られた入力画像に設定用画像又は装置の状態を関連付けるための関連付け画面２７２を示す。
【０１１０】
関連付け画面２７２は、処理メニュー設定用画像表示２７４〜２７８、装置状態一覧表示２８０、入力画像２８２、及び指示画像２８４、２８６を含んでいる。関連付け画面２７２では、操作者により処理メニュー設定用画像表示２７４〜２７８のうちいずれかが指定されると、指定された処理に対応する設定用画像が、図１１（ｄ）に示すようにポップアップ２８８として表示される。
【０１１１】
操作者は、入力画像２８２に配置する設定用画像２９０をドラッグして入力画像２８２上にドロップする。なお、ポップアップ２８８は、ドラッグ位置がポップアップ２８８の表示領域外に移動すると閉じるようになっている（図１１（ｅ））。操作者が入力画像２８２上の任意の位置でドロップすると、設定用画像２９０が入力画像２８２上に配置される。
【０１１２】
なお、装置状態一覧表示２８０が指定されると、入力画像に関連付けることが可能な全ての装置状態が、図１１（ｄ）に示すポップアップ２８８と同様に表示される。操作者が入力画像に関連付ける装置状態を指定することにより、入力画像と装置の状態との関連付けがなされる。
【０１１３】
関連付け画面２７２において、保存をするための指示画像２８４を指定すると、メモ付操作画面の作成が終了し、登録情報が保存され、図１１（ａ）に示すメニュー画面２５０が表示される。また、取り消すための指示画像２８６を指定すると、メモ付操作画面の作成が取り消され図１１（ａ）に示すメニュー画面２５０が表示される。
【０１１４】
以上説明したとおり、操作者は、入力画像をもとにメモ付操作画面を作成でき、キー入力等で操作画面を作成する場合に比べ文字入力の負担がなく、また、自由に図形や記号等を入力画像の基となる原稿に記載することができ、直感的な操作支援が可能となる。
【０１１５】
図１２は、設定用画像が関連付けられたメモ付操作画面を表示する処理のフローチャートである。
【０１１６】
ステップ２００（Ｓ２００）において、受付部９６は、初期操作画面における操作者の操作を受付ける。受付部９６が、図８に示した設定用画像又はメモ表示用画像に対する操作を受け付けた場合、ステップ２０２へと移行する。
【０１１７】
ステップ２０２（Ｓ２０２）において、表示制御部９４は、受付部９６が操作を受付けた設定用画像又はメモ表示用画像に関連付けられた登録情報が登録情報テーブルに格納されているかを検索する。設定用画像又はメモ表示用画像に関連付けられた登録情報が格納されている場合、ステップ２０４へと移行し、格納されていない場合は、処理を終了する。
【０１１８】
ステップ２０４（Ｓ２０４）において、表示制御部９４は、関連付けられた登録情報を全て収集し、ステップ２０６へ移行する。
【０１１９】
ステップ２０６（Ｓ２０６）において、表示制御部９４は、収集した登録情報が単一であるか複数であるかを判定し、収集した登録情報が一つである場合はステップ２０８へ移行し、収集した登録情報が複数である場合はステップ２１０へ移行する。
【０１２０】
ステップ２０８（Ｓ２０８）において、図９（ａ）に示したような、登録情報が一つである場合の確認画面を表示し、ステップ２１２へ移行する。
【０１２１】
ステップ２１０（Ｓ２１０）において、図９（ｂ）に示したような、登録情報が複数ある場合の確認画面を表示し、ステップ２１２へ移行する。
【０１２２】
ステップ２１２（Ｓ２１２）において、受付部９６がメモ付操作画面を表示する指示を受け付けた場合、ステップ２１４へ移行し、メモ付操作画面を表示しない指示を受け付けた場合は、処理を終了する。
【０１２３】
ステップ２１４において、表示制御部９４は、登録情報に基づいて操作画面生成部９０によって生成されたメモ付操作画面を表示する。
【０１２４】
メモ付操作画面によれば、操作者は、メモが記載された原稿又は単にメモが記された画面と、操作画面とを交互に行き来する煩雑さがなく、また、メモ付操作画面が表示される条件を別途指示する必要もない。さらに、原稿に記載されたメモの設定項目名の記載が不明確であっても、メモ付操作画面では実際の設定用画像が配置されており、正確な情報を操作者に提供できる。
【０１２５】
また、初期操作画面上で操作した設定用画像に応じて、自動的にメモ付操作画面が表示され、操作者はメモ付操作画面を参考に操作ができ、操作ミス、操作漏れを防ぐことができる。さらに、メモの存在を見落とすこともできる。
【０１２６】
次に、入力画像に装置の状態が関連付けられている場合において、入力画像を表示する処理の流れについて説明する。
【０１２７】
図１３は、装置の状態が関連付けられた入力画像を表示する処理のフローチャートである。
【０１２８】
まず、ステップ３００（Ｓ３００）において、状態検知部９８は画像形成装置１０の状態を検知する。
【０１２９】
ステップ３０２（Ｓ３０２）において、表示制御部９４は、状態検知部９８が検知した状態に関連付けられている登録情報が登録情報テーブルに存在するか検索をし、関連付けられている登録情報が存在した場合、ステップ３０４へ移行し、存在しない場合は処理を終了する。
【０１３０】
ステップ３０４（Ｓ３０４）において、表示制御部９４は、登録情報に関連づけられている入力画像を表示する。
【０１３１】
以上により、画像形成装置１０の装置の状態に応じて、登録情報に基づく入力画像が表示される。
【０１３２】
なお、上記の図１３の説明では、入力画像に対して装置の状態のみが関連付けられている場合について説明したが、入力画像に対し、装置の状態及び設定用画像が関連付けられている場合は、ステップ３０４では、表示制御部９４は、登録情報に基づいて操作画面生成部９０によって生成されたメモ付操作画面を表示する。
【０１３３】
このように、登録情報に基づいたメモ付操作画面又は入力画像が表示され、画像形成装置１０の機能に関する手順を、操作者に分かりやすく表示することができる。
【０１３４】
本実施形態では、画像形成装置１０による実施例を示したが、装置の設定操作を必要とする他の電子機器においても実施できることは言うまでもない。
【０１３５】
また、設定用画像に対する操作者の指定は、タッチパネル上に表示された設定用画像への押下のみならず、他の指定方法でもよく、例えば、ＵＩ装置５０に設けられたテンキー７４により設定用画像への指定がなされてもよい。
【０１３６】
また、入力画像のもととなる原稿は、手書きである必要はなく、入力画像が原稿を画像読取装置１４によって読み取ったものである必要はない。例えば、画像形成装置１０に設けられたネットワーク通信装置を通じて、画像形成装置１０に入力された画像データでもよい。
【０１３７】
さらに、メモ付操作画面に表示される設定用画像は、機能に関する設定のための画像のみならず、処理の実行を指示するための画像でもよい。例えば、メモ付操作画面に表示される設定用画像を指定することにより、画像形成装置１０が実行可能な処理のうちいずれかの処理が開始されてもよい。
【符号の説明】
【０１３８】
１０        画像形成装置
１４        画像読取装置
５０        ＵＩ装置
６６        記憶装置
７０        情報処理プログラム
８０        画面表示部
９０        操作画面生成部
９２        登録部
９４        表示制御部
９６        受付部
９８        状態検知部
１００      設定部
１１０、１２４  メモ付操作画面
【図１】
0005804239.tif 000002
【図２】
0005804239.tif 000003
【図３】
0005804239.tif 000004
【図４】
0005804239.tif 000005
【図５】
0005804239.tif 000006
【図６】
0005804239.tif 000007
【図７】
0005804239.tif 000008
【図８】
0005804239.tif 000009
【図９】
0005804239.tif 000010
【図１０】
0005804239.tif 000011
【図１１】
0005804239.tif 000012
【図１２】
0005804239.tif 000013
【図１３】
0005804239.tif 000014